(57)【特許請求の範囲】
【請求項１】
複数の音群と、
該複数の音群の音像定位位置をそれぞれ設定可能な音像定位位置設定手段と、
該音像定位位置設定手段により設定された複数の音像定位位置における各々の音像定位位置に対応して、前記複数の音群にそれぞれ乗算して通過／阻止の制御あるいは音量調整する乗算係数を設定する乗算係数設定手段と、
該乗算係数設定手段により設定された乗算係数が乗算された前記複数の音群が印加され、該複数の音群を前記音像定位位置設定手段により設定された前記音像定位位置にそれぞれ定位させる音像定位手段と、
を備えることを特徴とする電子楽器の音像定位装置。
【請求項２】
前記音像定位手段では、前記複数の音群を前記音像定位位置にそれぞれ定位させる際に、聴取位置選択手段により複数の聴取位置から選択されたいずれかの聴取位置に応じて前記複数の音群の音像を定位させることができるようにしたことを特徴とする請求項１記載の電子楽器の音像定位装置。
【発明の詳細な説明】
【０００１】
【産業上の利用分野】
本発明は、電子楽器の音像定位装置に関するものであり、多数の音源を備える電子楽器に適用して好適なものである。
【０００２】
【従来の技術】
オーディオ装置においては古くからバイノーラル方式と呼ばれる音像定位方式が知られており、このバイノーラル方式により録音された信号を再生してヘッドホンで聴くことによりコンサート会場での臨場感や複雑な音場の再生をリアルに行うようにしている。
そして、電子楽器の分野においても臨場感を高めるために演奏音を定位させて、よりリアルな臨場感を得るようにすることが行われている。
このような、従来の電子楽器の音像定位装置を図１０及び図１１を参照しながら説明する。
【０００３】
図１０にはダミーヘッド１０２の右耳及び左耳までの室１０４における伝達関数を求める概要が示されているが、この図に示す例においては人間の耳がほぼ左右対称になっていることを利用して、右耳だけにマイクロホンを設けるだけで右耳及び左耳までの伝達関数を測定しようとするものである。
伝達関数は周知のようにインパルスを印加した時のインパルス応答をラプラス変換したものであるため、音源をインパルス音源とすることにより上記の右耳及び左耳までの伝達関数を容易に求めることができる。
そこで、この図に示す○印の各位置にインパルス音源１０３を位置させてインパルス状の音を発音させ、この音をダミーヘッド１０１の右耳に設けたマイクロホン１０２で受けることにより、インパルス音源１０３が位置した○印の位置からの伝達関数を測定するようにする。
さらに、インパルス音源１０３の設定位置を順次変えていくことにより○印の位置のすべての伝達関数を測定する。
【０００４】
ところで、左耳までの伝達関数は右耳と左耳とが左右対称の位置にあることから○印の位置を反転した位置の右耳の伝達関数を用いるようにすることにより、左耳までの伝達関数とすることができる。
このようにして求めた伝達関数を用いて音像を定位させる装置が図１１に示されている。この図において、トーンジェネレータ１２１はキーボード１２０のイベントに制御されて発音が制御される音源部であり、各インパルス音源１０３を設置した位置の伝達関数のデータはＦＩＲ係数テーブル１２４に収納されている。そして、トーンジェネレータ１２１から出力された信号はＦＩＲ（Ｆｉｎｉｔｅ  Ｉｍｐｕｌｓｅ  Ｒｅｓｐｏｎｃｅ）フィルタ１２２及びＦＩＲフィルタ１２３に印加され、ＦＩＲフィルタ１２２，１２３にはＦＩＲ係数テーブル１２４から読み出された音像定位座標Ｘ，Ｙに応じたＦＩＲ係数が設定されている。そして、このＦＩＲフィルタ１２２，１２３により上記のように求めた伝達関数を電気的にシミュレーションするフィルタとされることにより上記伝達関数をシミュレーションできるようにしている。
【０００５】
なお、補間器１２５は音像を定位すべき位置の座標Ｘ，Ｙが測定した○印のポイントではない位置の時に、隣接する測定位置の係数データを用いて、音像を定位すべき位置の係数を内分演算によって算出している。
このようにして、音像定位処理の施された信号はアンプ１２６により増幅されて左チャンネルの出力信号となり、またアンプ１２７により増幅されて右チャンネルの信号として出力されこれらの出力信号をヘッドホンで聴くことにより、設定された位置に定位された音像とすることができる。
【０００６】
【発明が解決しようとする課題】
しかしながら、図１０に示すようにして伝達関数の測定を行うと、測定を行う左右の位置を全く左右対称にすることが不可能に近いことから、測定位置の誤差が生じるようになり、この誤差によりダミーヘッドに設けたマイクで受ける応答信号が微妙にずれるようになる。このため、測定された伝達関数もずれたようになり、この伝達関数を用いた音像定位装置で定位した音像がぼやけた音像となってしまうと共に、ダミーヘッドの前方及び後方の位置においては、測定した右耳における伝達関数をそのまま左耳の伝達関数としているため、ステレオとならずモノラルになってしまうという問題点があった。
【０００７】
また、音像を定位する音源が１つしか設けられていないため、広い空間で複数の音源が演奏しているような臨場感を得ることができないという問題点があった。
そこで、本発明は多彩な音像の定位ができる電子楽器の音像定位装置を提供することを目的としている。
さらに、本発明は複数の聴取位置を選択できる音像定位装置を提供することを目的をしている。
【０００８】
【課題を解決するための手段】
上記目的を達成するために、本発明は複数の音色を選択して発音できる複数の音群を用意し、この複数の音群を、それぞれ音像を定位させる複数の音像定位位置のいずれかに割り当てると共に、所定の音像定位位置に割り当てられた音群を定位回路により所望の定位位置に定位させるようにしたものである。
また、本発明は音群の音像を複数の音像定位位置のいずれかに割り当て、割り当てられた音像定位位置に上記音群を定位させると共に、音像定位された楽音を聴取する聴取位置を複数箇所選択できるようにしたものである。
なお、図１に示すようにして伝達関数を測定すると、ダミーヘッドの左右に設けたマイクから伝達関数の測定を行えるので、測定位置の誤差が生じないようになる。このため、測定された伝達関数はずれることがなく、この伝達関数を用いた音像定位装置で定位した音像はクッキリとした音像とできると共に、測定した右耳と左耳における伝達関数を用いているため、ステレオとならずモノラルになってしまうという問題点を解決することができる。
【０００９】
【作用】
本発明によれば、複数の音源毎に異なる音像を定位させることができるため、各音群が広い空間で演奏しているような臨場感を得ることができる。
また、聴取位置を選択できるため、演奏しながら聴衆に聞こえている音場を確認することができる。
【００１０】
【実施例】
本発明において音場の伝達関数を測定する概要を図１に示す。
この図において、１〜１９はインパルス音源を設置して伝達関数を測定する位置を示しており、この位置を音像定位位置としてオーケストラにおける各楽器の位置に対応させることができる。そして、この図では３の位置にインパルス音源をおき指揮者Ａの位置において伝達関数を測定する場合が示されている。
すなわち、３の位置においたインパルス音源から発せられたインパルス音は直接指揮者の位置Ａに置かれたダミーヘッド２３−１に達すると共に、室２０の壁に当たって反射されてダミーヘッド２３−１に達する。このダミーヘッド２３−１に達した音はその右耳に設けられたマイクＲ２１−１と左耳に設けられたマイクロホンＬ２２−１により受信され、この受信信号を処理することにより伝達関数が求められる。
【００１１】
また、ダミーヘッドは指揮者の位置Ａだけに設けられているのではなく、第２のダミーヘッド２３−２が室２０の音楽を鑑賞する際の最適位置Ｂに設けられており、さらに第３のダミーヘッド２３−３が後方の位置Ｃに設けられている。これらのダミーヘッド２３−２，２３−３にもダミーヘッド２３−１と同様に右耳にマイクロホンＲ２１−２，Ｒ２１−３が設けられ、左耳にマイクロホンＬ２２−２，Ｌ２３−２がそれぞれ設けられており、例えば、３の位置に置いたインパルス音源から発せられたインパルス音を受けることより、それぞれの位置Ｂ，Ｃの伝達関数を求めるようにしている。
【００１２】
このように、１〜１１の各位置にインパルス音源を位置させるようにして、図示するＡ，Ｂ，Ｃの各位置の伝達関数をそれぞれ測定するようにする。また、１２〜１９の位置の各伝達関数は、１〜８の位置と１２〜１９の位置とが線対称に位置していることから、測定された１〜８の位置の伝達関数の右耳と左耳の伝達関数を入れ替えることにより１２〜１９の位置の伝達関数を作成するようにする。従って、測定のためにインパルス音源を置く位置の数を半減することができ、伝達関数を容易に求めることができるようになる。
【００１３】
また、図１に示すようにして伝達関数を求めたことにより、位置の誤差に伴う伝達関数のずれがないことから測定したポイントによる再現性が良くなり、また伝達関数の左右を入れ替えたことによる誤差も人間の左右の形状による僅かな違いだけとなる。さらに、真正面の９，１０，１１の位置の伝達関数も左右で微妙に異なるため、モノラルとなることがなくなる。
なお、伝達関数には室の残響特性も含まれているが、このような測定を大ホール，ライブハウス，ジャズクラブ，スタジアム，小ホールにおいて予め行いその伝達関数のデータを記録しておくことにより、図２に記録された種々の室の臨場感を有する音像定位を行うことができる残響特性を含む伝達関数のデータ例を示す。
【００１４】
この図に示すように、測定された室のタイプはホール，チャーチ，・・・，ルームとなっており、その聴取位置は図１に図示する指揮者位置Ａ，最適位置Ｂ，後方の位置Ｃであり、定位位置すなわちインパルス音源をおいて測定した位置は図１に図示する１〜１１とされている。そして、各データは室のタイプをホールとし定位位置を１とした場合において、聴取位置が指揮者位置Ａの場合の左耳から得られたデータがＨＬ１Ａ，右耳から得られたデータがＨＲ１Ｂであり、聴取位置が最適位置Ｂの場合の左耳から得られたデータがＨＬ１Ｂ，右耳から得られたデータがＨＲ１Ｂであり、さらに、聴取位置が後方の位置Ｃの場合の左耳から得られたデータがＨＬ１Ｃ，右耳から得られたデータがＨＲ１Ｃである。
【００１５】
また、室のタイプをチャーチとし定位位置を１１とした場合の例を上げると、聴取位置がＡの場合の左耳から得られたデータがＣＬ１１Ａ，右耳から得られたデータがＣＲ１１Ａであり、聴取位置が最適Ｂの場合の左耳から得られたデータがＣＬ１１Ｂ，右耳から得られたデータがＣＲ１１Ｂであり、聴取位置を後方の位置Ｃとした場合の左耳から得られたデータがＣＬ１１Ｃ，右耳から得られたデータがＣＲ１１Ｃである。
この図に示す他のデータも上記データと同様にして得たデータであるので、他のデータの説明はここでは省略する。
なお、一般に音像定位回路はＦＩＲフィルタにより構成されることから、上記各データはＦＩＲフィルタの係数データとされている。
【００１６】
また、この表に見られるように定位位置１２〜１９に対するデータは示されていないが、これらの定位位置１２〜１９におけるデータは図３に示す変換テーブルに基づいて得ることができる。すなわち、定位位置１２の対称位置が７であるので、前記の通り定位位置７の左右のデータを入れ替えれば定位位置１２のデータとすることができる。すなわち、左耳から得られたデータＨＬ７Ａを右耳側のデータＨＲ１２Ａとし、右耳から得られたデータＨＲ７Ａを左耳側のデータＨＬ１２Ａとする。このようにして変換テーブルに基づき定位位置１２〜１９の各データを得ることができる。
【００１７】
そして、これらのデータの内所望のタイプの室において所望の定位位置のデータを選択して音像定位装置に印加することにより所望の音像定位を得ることができるようになる。次に、図４に示す定位位置１〜１９の内●印で示す定位位置１，６，９，１５，１７の位置に複数の音色を選択できる音群を定位でき、さらにその聴取位置を指揮者の位置Ａ、最適位置Ｂ及び後方の位置Ｃの一つが選択できる電子楽器の音像定位装置を図５及び図６を参照しながら説明する。
なお、図４に示す例では定位位置１に割り当てられた音群の音色としてコーラスとピアノとパーカッションが選択されており、定位位置６に割り当てられた音群の音色としてギターとストリングスが、定位位置９に割り当てられた音群の音色としてコーラスとトランペットとドラムが、定位位置１５に割り当てられた音群の音色としてストリングスが、定位位置１７に割り当てられた音群の音色としてコーラスとバスがそれぞれ選択されている。
【００１８】
図５において、制御部３０は主にマイクロコンピュータ（ＣＰＵ）により構成されており、電子楽器全体を制御している。また、ＲＯＭ３４には制御部３０の制御プログラム及び各種楽音制御データ等が記憶されており、ＲＡＭ３５は制御部３０のワーキングレジスタ等に用いられている。さらに鍵盤部３２は、上鍵盤、下鍵盤、ペタル鍵盤により構成されている。
音源３６は音群１ないし音群８の８つの音群により構成されており、各音群１〜８はギターやピアノ等の複数の音色を選択することができ、選択された音色が出力されている。このため、この電子楽器においては８つの音群から出力される８つの音色を同時に発音することができる。これらの音群１〜８のうち、４つの音群が鍵盤部３２の上鍵盤に割り当てられており、２つの音群が下鍵盤に割り当てられ残る２つの音群がペダル鍵盤に割り当てられている。
したがって、上鍵盤を押鍵すると選択された４つの音色が同時に発音される。同様に下鍵盤、ペタル鍵盤を押鍵するとそれぞれ選択された２音色が同時に発音される。また、これらに音色の音量バランス、鍵域設定は設定部３１で設定される。
【００１９】
また、係数メモリ３３には室のタイプ，聴取位置，定位位置ごとに音像定位回路３８を構成するＦＩＲフィルタの係数がそれぞれ記憶されており、制御部３０の制御の基で設定部３１により指定された音群１〜８ごとの定位位置や聴取位置のＦＩＲ係数が係数メモリ３３から読み出されて音像定位回路３８に印加されている。
そして、音像定位回路３８には５系統のＦＩＲフィルタが設けられており、この５系統のＦＩＲフィルタのそれぞれが図４に示す●印の定位位置のそれぞれに対応している。しかしながら、音像定位回路３８にはＦＩＲフィルタの数より多い８つの音群が供給されるため、分配装置３７により音群１〜音群８を５系統のＦＩＲフィルタに割り当てている。このＦＩＲフィルタには前記のように係数メモリ３３から読み出された係数が入力されており、この係数が設定されたＦＩＲフィルタにより音像定位処理された右チャンネルと左チャンネルの２系統の信号が音像定位回路３８から出力されている。
【００２０】
この時、ヘッドホン４８がヘッドホンジャック４７に差し込まれていたとすると、このジャック４７の作用によりセレクタ４０が音像定位回路３８の出力をＤＡコンバータ４１に印加するよう選択し、セレクタ４２がＤＡコンバータ４１の出力をアンプ４６に印加するよう選択するようになる。このため、音像定位回路３８の出力はＤＡコンバータ４１によりアナログ信号に変換され、アンプ４６により増幅されてヘッドホン４８を駆動する。これにより、ヘッドホン４８からは図４に示すような定位位置に各音群が定位された音像を、設定された聴取位置により聴取することができるようになる。
【００２１】
また、ヘッドホン４８がジャック４７に差し込まれていない時は、クロストークキャンセル回路３９で処理された音像定位回路３８の出力がセレクタ４０により選択され、その出力がＤＡコンバータ４１によりアナログ信号に変換されてセレクタ４２に印加される。そして、変換されたアナログ信号はセレクタ４２によりアンプ４３に印加されるようにされて、このアンプ４３により増幅されて左のスピーカＬ４５及び右のスピーカＲ４４から発音される。
【００２２】
なお、クロストークキャンセル回路３９は一方の耳から他方の耳へクロストークする信号成分をキャンセルすることにより、キャンセル処理された信号がスピーカ４５，４４から発音された時に、所定の定位位置に音像を定位させるための回路である。このような回路は特開昭４−１５０４００号公報に記載されているように従来から知られている回路である。
また、スピーカから発音させることにより音像を所定位置に定位させるにはスピーカの位置及び聴取する位置が予め定められている必要があるが、電子楽器においては一般にスピーカは内蔵されており、更に演奏する位置は固定されているため設定したとおりに音像を定位させることができる。
【００２３】
次に、分配装置３７と音像定位回路３８の詳細を図６に示す。
この図において、分配装置３７は音源３６の音群１〜８の８つの音群に対応して８つの分配回路３７−１〜３７−８により構成されている。これらの分配回路のうちの一つの分配回路３７−１を図６では詳細に示しているが、分配回路３７−１〜３７−８はすべて同じ構成とされている。そこで、分配回路３７−１について説明すると、分配回路３７−１は乗算器３７−１−１〜３７−１−５の５つの乗算器からなり、各乗算器３７−１−１〜３７−１−５には制御部３０よりの乗算係数がそれぞれ入力されている。乗算係数は任意の係数を設定することができ、例えば乗算器３７−１−１の乗算係数を「０」とすると乗算器３７−１−１に入力された信号を阻止することができ、乗算係数を「１」に設定すると入力された信号をそのまま通過させることができるようになる。更に、上鍵盤のように４つの音群が割り当てられている場合には、この係数を調整してその音量調整を行うようにしている。これらの乗算器３７−１−１〜３７−１−５からの出力はそれぞれ５つの加算器３７−１１〜３７−１５に入力されている。
【００２４】
このような処理が制御部３０からの制御信号に基づいて他の分配回路３７−２〜３７−８においても行われる。そして、分配回路３７−２〜３７−８からの各乗算器からの出力もこれらの加算器３７−１１〜３７−１５に入力されて、これらの加算器により加算されて５系統の信号とされて音像定位回路３８に印加されている。
この音像定位回路３８は５つの定位回路３８−１〜３８−５と加算器５６，５７から構成されているが、定位回路３８−１〜３８−５の回路は同じ回路とされているため図示する定位回路３８−１について説明を行う。定位回路３８−１は第１のＦＩＲフィルタと第２のＦＩＲフィルタとからなり、この第１のＦＩＲフィルタは縦続接続された遅延回路５０−１〜５０−ｎと、この遅延回路５０−１〜５０−ｎの各出力に係数を乗算する係数器５１−１〜５１−ｎ及び係数器５１−１〜５１−ｎの各出力を加算する加算器５２により構成されている。
【００２５】
また、第２のＦＩＲフィルタも同様の構成であり、縦続接続された遅延回路５３−１〜５３−ｍと、この遅延回路５３−１〜５３−ｍの各出力に係数を乗算する係数器５４−１〜５４−ｍ及び係数器５４−１〜５４−ｍの出力を加算する加算器５２により構成されている。
この第１のＦＩＲフィルタ及び第２のＦＩＲフィルタは従来から知られているフィルタであるのでその詳細な説明は省略するが、その係数器に設定する係数値により種々の特性のフィルタとすることができる。このフィルタの係数器５１−１〜５１−ｎ及び５４−１〜５４−ｍには係数メモリ３３から制御部３０の制御に基づいて設定された室のタイプ、聴取位置、定位位置に応じた係数値が読み出されて、各係数が設定されることにより、所定のフィルタ処理が行われる。
【００２６】
そして、所定のフィルタ処理が行われた第１のＦＩＲフィルタの加算器５２からの出力は加算器５６に供給され、第２のＦＩＲフィルタの加算器５５からの出力は加算器５７に供給される。この加算器５６，５７には他の定位回路３８−２〜３８−５からの第１のＦＩＲフィルタ及び第２のＦＩＲフィルタからの出力もそれぞれ供給されており、供給された信号が加算されて２系統の出力とされて出力されている。この２系統の信号は左右に位置する発音体のＬチャンネルの信号ＬとＲチャンネルの信号Ｒとされている。
【００２７】
次に、図５に示す電子楽器の音像定位装置のフローチャートを図７ないし図９に示す。
図７は制御部３０を構成するＣＰＵのフローチャートであり、電源が投入されると、メインルーチン６０の初期設定ステップに６１によりイニシャライズルーチンが実行される。その後パネル処理ステップ６２に移行し、このパネル処理ステップ６２において電子楽器のパネルから設定されているパラメータを取り込んでそのパラメータをＲＡＭに記憶しておく。設定されるパラメータには室のタイプ，聴取位置，定位位置等のパラメータがある。次に、鍵盤処理ステップ６３において鍵盤のイベントが検出されてその発音処理や消音処理が行われ、さらにその他の処理がステップ６４により行われてパネル処理ステップ６２に戻るようにされている。すなわち、ステップ６２からステップ６４はループを構成して常時循環されている。
【００２８】
図８にパネル処理のフローチャートの詳細を示す。
この図に示すステップ７１によりホール，チャーチ，ルーム等の室のタイプの選択操作があるか否かが検出され、「イエス」の時はその選択操作された室のタイプのパラメータがステップ８２においてＲＡＭ３５に記憶されて、ステップ７３に移行する。また、「ノー」の時はステップ７３に直接移行しこのステップ７３において指揮者位置，最適位置，後方の位置の聴取位置の設定操作があるか否かが検出される。そして、「イエス」の時は設定された聴取位置のパラメータがステップ７４においてＲＡＭ３５に記憶されてステップ７５に移行し、「ノー」の時はステップ７５に直接移行し、このステップ７５において定位位置操作があるか否かが検出される。この操作は１〜１９の定位位置の内の５つの定位位置を選択する操作である。
【００２９】
そして、定位位置の操作がある時はステップ７６において係数メモリ３３から室のタイプと聴取位置と定位位置のパラメータに応じて、係数を読み出して音像定位回路３８に係数を設定する。ただし、この場合定位位置が１２〜１９の時は変換テーブルを通してから読み出し左右の係数データを入れ替えて設定する。そして、ステップ７７に移行するが、定位位置の操作がない時はステップ７７に直接移行し、このステップにおいて定位位置に音群を割り当てる操作があるか否かが検出され、「イエス」の時は分配装置３７にその割当パラメータが送られ、ステップ７９に移行する。また、「ノー」の時は直接ステップ７９に移行する。
このステップ７９において、音色設定操作があるか否かが検出され「イエス」の時はステップ８０において対応する音群にギターやピアノ等の音色情報が設定されて、「ノー」の時と同様にパネル処理が終了しリターンされる。
【００３０】
次に、鍵盤処理のフローチャートを図９に示す。
この図において、上鍵盤（ＵＫ）のイベントがステップ８１により検出され、「イエス」の時は上鍵盤に割り当てられた音群１〜４の音源３６に対してイベントに対応する発音チャンネルの割り当て及び発音指示処理が行われてステップ８３に移行する。また、「ノー」の時はステップ８３に直接移行して下鍵盤（ＬＫ）のイベントが検出される。そして、下鍵盤のイベントがあると検出されるとステップ８４において、下鍵盤に割り当てられた２つの音群５，６の音源に対してイベントに対応する発音チャンネルの割当及び発音指示処理が行われ、ステップ８５に移行する。また、「ノー」の時はステップ８５に直接移行してペダル鍵盤（ＰＫ）のイベントが検出される。この時に、イベントが検出されて「イエス」とされるとペダル鍵盤に割り当てられている２つの音群７，８の音源３６に対して、イベントに対応する発音チャンネルの割り当て及び発音指示処理が行われ、「ノー」の時と同様に鍵盤処理が終了しリターンされる。
【００３１】
前記パネル処理において説明したように、本発明は１〜１９の定位位置のうちの５つの定位位置に音群を、例えば図４に示すように割り当てているため、音群の定位位置は音群の音色を変更しても変化しない。すなわち、図４において定位位置１，９，１７に音群１を割り当て、音群１の音色としてコーラスを選択すると３方からコーラスが聞こえるようになり、広がった臨場感のあるコーラスとすることができる。また、音群２を定位位置６に割り当て音群３を定位位置１５に割り当て、音群２と音群３の音色としてストリングスを選択すると、２つの位置からストリングスが聴こえるようにされ、数本のストリングスがある効果を奏することができる。さらに、この場合音群２の音色としてギター等の音色を選択することもできる。
【００３２】
ところで、本発明においては音群の数に対して音像定位回路のＦＩＲフィルタの数が少ないが、１つの音群の音色を複数の音像定位回路のＦＩＲフィルタに割り当てることができるため、まったく同じ定位にならず、ＦＩＲフィルタの少なさを補うことができる。
また、室のタイプを混ぜることも可能であり、ある音像定位位置にホールを割り当て、他の定位位置においてチャーチを割り当てるといったように混在させると新規な音響効果を得ることができる。
なお、複数の定位位置に対し同じ音群を割り当てる時は分配装置への係数を小さくして、他の楽器との音量バランスをとるようにするのがよい。
【００３３】
【発明の効果】
本発明は以上のように構成されているので、音群ごとに音像定位位置を定めることができ、各音源がそれぞれ広い空間で演奏しているかのような臨場感を得ることができる。
また、聴取位置を選択できるため演奏しながら聴衆の聞こえている音場を確認することができる。
【図面の簡単な説明】
【図１】本発明の音場の伝達関数を測定する概要を示す図である。
【図２】伝達関数のデータ例の表を示す図である。
【図３】定位位置の変換テーブルを示す図である。
【図４】音群を割り当てる定位位置を示す図である。
【図５】本発明の電子楽器の音像定位装置のブロック図である。
【図６】本発明の分配装置と音源定位回路の詳細を示す図である。
【図７】制御部のフローチャートを示す図である。
【図８】パネル処理のフローチャートを示す図である。
【図９】鍵盤処理のフローチャートを示す図である。
【図１０】従来の音場の伝達関数を測定する概要を示す図である。
【図１１】従来の音像定位装置のブロック図である。
【符号の説明】
１〜１９  定位位置
２０  室
２１−１〜２１−３，２２−１〜２２−３，１０２  マイク
２３−１  指揮者の聴取位置
２３−２  最適位置
２３−３  後方の位置
３０  制御部
３１  設定部
３２  鍵盤部
３３  係数メモリ
３４  ＲＯＭ
３５  ＲＡＭ
３６  音源
３７  分配装置
３７−１−１〜３７−１−５  乗算器
３７−１〜３７−８  分配回路
３７−１１〜３７−１５，５２，５５，５６，５７  加算器
３８  音像定位回路
３８−１〜３８−５  定位回路
３９  クロストークキャンセル回路
４０，４２  セレクタ
４１  ＤＡコンバータ
４３，４６，１２６，１２７  アンプ
４４，４５  スピーカ
４７  ジャック
４８  ヘッドホン
５０−１〜５０−ｎ，５３−１〜５３−ｍ  遅延回路
５１−１〜５１−ｎ，５４−１〜５４−ｍ  係数器
６０〜６４  制御部の各ステップ
７１〜８０  パネル処理の各ステップ
８１〜８６  鍵盤処理の各ステップ
１０１  ダミーヘッド
１０３  インパルス音源
１０４  室
１２０  キーボード
１２１  トーンジェネレータ
１２２，１２３  ＦＩＲフィルタ
１２４  ＦＩＲ係数テーブル
１２５  補間器
【図１】
0003578783.tif 000002
【図２】
0003578783.tif 000003
【図３】
0003578783.tif 000004
【図４】
0003578783.tif 000005
【図５】
0003578783.tif 000006
【図６】
0003578783.tif 000007
【図７】
0003578783.tif 000008
【図８】
0003578783.tif 000009
【図９】
0003578783.tif 000010
【図１０】
0003578783.tif 000011
【図１１】
0003578783.tif 000012